(57)【特許請求の範囲】
【請求項１】
接続対象物に搭載され、前記接続対象物と接続するコネクタにおいて、
前記コネクタは、コンタクトと、前記コンタクトを保持するハウジングと、前記コネクタを前記接続対象物に固定する固定金具とを有し、
前記ハウジングは、前記固定金具が挿入される固定金具挿入部を有し、
前記固定金具挿入部は、第１位置決め部と第２位置決め部とを有し、
前記固定金具は、本体部と、前記接続対象物への半田付け部と、前記本体部と前記半田付け部とを連結する連結部とから構成され、
前記本体部は、圧入部と、第３位置決め部と、第４位置決め部とを有し、
前記固定金具を前記固定金具挿入部へ圧入することにより、前記第１位置決め部と前記第３位置決め部とが、かつ、前記第２位置決め部と前記第４位置決め部とが当接して、前記コネクタを前記接続対象物に搭載する第１の方向への位置決めが行われ、かつ、前記第１位置決め部と前記第２位置決め部とは前記第１の方向と直交する第２の方向にずれて配置されることを特徴とするコネクタ。
【請求項２】
接続対象物に搭載され、前記接続対象物と接続するコネクタにおいて、
前記コネクタは、コンタクトと、前記コンタクトを保持するハウジングと、前記コネクタを前記接続対象物に固定する固定金具とを有し、
前記ハウジングは、前記固定金具が挿入される固定金具挿入部を有し、
前記固定金具挿入部は、第１位置決め部と第２位置決め部とを有し、
前記固定金具は、本体部と、前記接続対象物への半田付け部と、前記本体部と前記半田付け部とを連結する連結部とから構成され、
前記本体部は、圧入部と、第３位置決め部と、第４位置決め部とを有し、
前記固定金具を前記固定金具挿入部へ圧入することにより、前記第１位置決め部と前記第３位置決め部とが、かつ、前記第２位置決め部と前記第４位置決め部とが当接して、前記コネクタを前記接続対象物に搭載する第１の方向への位置決めが行われ、かつ、前記第３位置決め部と前記第４位置決め部とは前記第１の方向と直交する第２の方向にずれて配置されることを特徴とするコネクタ。
【請求項３】
前記本体部は突出部を有し、前記突出部により前記本体部が前記第２の方向へ位置決めされることを特徴とする請求項１又は２記載のコネクタ。
【請求項４】
前記固定金具の半田付け部は前記ハウジングの底壁部に位置するように折り曲げられていることを特徴とする請求項１，２又は３記載のコネクタ。
【発明の詳細な説明】
【技術分野】
【０００１】
本発明は、コネクタにおける固定金具（ホールドダウン等）と固定金具が挿入されるハウジングに関する。
【背景技術】
【０００２】
第１の従来のコネクタについて、本出願前に頒布された刊行物を引用して説明する（例えば、特許文献１参照。）。
【０００３】
図６は、コネクタ４１の斜視図であり、ハウジング４２にコンタクト４３とホールドダウン４４が挿入される前の状態を（Ａ）に、挿入された後の状態を（Ｂ）に、それぞれ示す。
【０００４】
コネクタ４１は、ハウジング４２と、ハウジング４２の背面に形成されている複数のスリット状の開口にそれぞれ装着される複数のコンタクト４３と、ハウジング４２の両側に設けられているコネクタ固定用のホールドダウン４４とから構成される。
【０００５】
ハウジング４２の前面には、相手側コネクタ（図示せず）との嵌合用の開口４２ａが形成されている。開口４２ａの両側の上部には、嵌合時に相手側コネクタの極性キーが挿入される誤挿入防止溝４２ｂが設けられている。また、開口４２ａ内には、各コンタクト４３が所定のピッチで１列に配置されている。
【０００６】
ハウジング４２の両側部の底面には、それぞれホールドダウン用挿入溝４２ｃが形成されている。各ホールドダウン用挿入溝４２ｃには、略Ｌ字状に折曲形成されているホールドダウン４４の一端部４４ａが矢印方向に圧入によって装着されている。装着時において、各ホールドダウン４４の他端部４４ｂは、ハウジング４２の底面と略平行に位置する。
【０００７】
ハウジング４２の両側面４２ｄには、ハウジング４２の下部から底面まで漸次切込みを深くした形状の切り欠き部４２ｅが形成されている。そして、各切り欠き部４２ｅによって各ホールドダウン４４の他端部４４ｂの上面が、露出される。
【０００８】
第２の従来のコネクタについて、本出願前に頒布された刊行物を引用して説明する（例えば、特許文献２参照。）。
【０００９】
図７は、コネクタ５１とプリント基板６１の諸図であり、（Ａ）はコネクタ５１がプリント基板６１上に取り付けられた状態の斜視図、（Ｂ）は固定金具５４をコネクタ５１のハウジング５２に取り付ける方法を説明するための断面図、（Ｃ）はコネクタ５１がプリント基板６１上に取り付けられた状態の断面図を、それぞれ示す。
【００１０】
複数のコンタクト５３は、所定のピッチで配列されて、ハウジング５２に収容固定される。ハウジング５２の側壁には、一対の突起５２ａが一体成形され、一対の固定金具５４には、各突起５２ａが挿入される穴５４ａが設けられている。
【００１１】
各固定金具５４の穴５４ａを、（Ｂ）の矢印に示されるようにハウジング５２の各突起５２ａにはめた後に、各突起５２ａの先端を加熱軟化させて径を拡大させる。このように構成された拡大径部によって、固定金具５４を抜け止めしてハウジング５２に固定する。
【００１２】
各固定金具５４は、（Ｃ）に示されるように、プリント基板６１上の金属パッド６１ａに半田６２によって接合される。
【００１３】
【特許文献１】実用新案登録第２５４０７３５号公報
【特許文献２】実開平６−６００６６号公報
【発明の開示】
【発明が解決しようとする課題】
【００１４】
まず、前記第１の従来のコネクタでは、各ホールドダウン４４の一端部４４ａがハウジング４２の各ホールドダウン用挿入溝４２ｃに単純な圧入構造によって装着されるので、各ホールドダウン４４の半田付け部が基板のパッドに対し斜めになる恐れがあり、コプラナリティ（平面度）に欠ける。
【００１５】
次に、前記第２の従来のコネクタでは、各固定金具５４の穴５４ａをハウジング５２の各突起５２ａにはめた後に、各突起５２ａの先端を加熱軟化させて径を拡大させる。したがって、固定作業が、煩雑である。
【００１６】
そこで、本発明は、前記両従来のコネクタの欠点を改良し、ホールドダウン等の固定金具がハウジングの所定位置に確実に、しかも、簡易に固定されるコネクタを提供しようとするものである。
【課題を解決するための手段】
【００１７】
本発明は、前記課題を解決するため、次の手段を採用する。なお、構成の次に括弧を付して実施例の部材の符号を記入する。
【００１８】
１．接続対象物に搭載され、前記接続対象物と接続するコネクタ（１）において、前記コネクタは、コンタクト（３）と、前記コンタクトを保持するハウジング（２）と、前記コネクタを前記接続対象物に固定する固定金具（４）とを有し、前記ハウジングは、前記固定金具が挿入される固定金具挿入部（２ｃ）を有し、前記固定金具挿入部は、第１位置決め部（２ｃ１）と第２位置決め部（２ｃ２）とを有し、前記固定金具は、本体部（４ａ）と、前記接続対象物への半田付け部（４ｂ）と、前記本体部と前記半田付け部とを連結する連結部（４ｃ）とから構成され、前記本体部は、圧入部（４ａ１）と、第３位置決め部（４ａ３）と、第４位置決め部（４ａ４）とを有し、前記固定金具を前記固定金具挿入部へ圧入することにより、前記第１位置決め部と前記第３位置決め部とが、かつ、前記第２位置決め部と前記第４位置決め部とが当接して、前記コネクタを前記接続対象物に搭載する第１の方向への位置決めが行われ、かつ、前記第１位置決め部と前記第２位置決め部とは前記第１の方向と直交する第２の方向にずれて配置されるコネクタ。
【００１９】
２．接続対象物に搭載され、前記接続対象物と接続するコネクタ（１）において、前記コネクタは、コンタクト（３）と、前記コンタクトを保持するハウジング（２）と、前記コネクタを前記接続対象物に固定する固定金具（４）とを有し、前記ハウジングは、前記固定金具が挿入される固定金具挿入部（２ｃ）を有し、前記固定金具挿入部は、第１位置決め部（２ｃ１）と第２位置決め部（２ｃ２）とを有し、前記固定金具は、本体部（４ａ）と、前記接続対象物への半田付け部（４ｂ）と、前記本体部と前記半田付け部とを連結する連結部（４ｃ）とから構成され、前記本体部は、圧入部（４ａ１）と、第３位置決め部（４ａ３）と、第４位置決め部（４ａ４）とを有し、前記固定金具を前記固定金具挿入部へ圧入することにより、前記第１位置決め部と前記第３位置決め部とが、かつ、前記第２位置決め部と前記第４位置決め部とが当接して、前記コネクタを前記接続対象物に搭載する第１の方向への位置決めが行われ、かつ、前記第３位置決め部と前記第４位置決め部とは前記第１の方向と直交する第２の方向にずれて配置されるコネクタ。
【００２０】
３．前記本体部は突出部（４ａ２）を有し、前記突出部により前記本体部が前記第２の方向へ位置決めされる前記１又は２記載のコネクタ。
【００２１】
４．前記固定金具の半田付け部は前記ハウジングの底壁部に位置するように折り曲げられている前記１，２又は３記載のコネクタ。
【発明の効果】
【００２２】
明細書の説明から明らかなように、本発明は、次の効果を奏する。
【００２３】
１．コネクタのハウジングの第１，２位置決め部と固定金具の第３，４位置決め部との２箇所の当接によって、コネクタを接続対象板に搭載する第１の方向への位置決めが行われ、かつ、第１，２位置決め部は第１の方向と直交する第２の方向にずれて配置されるので、固定金具がハウジングの所定位置に確実に、しかも、簡易に固定され、コプラナリティを良好に維持できる。
【００２４】
２．固定金具の本体部が有する突出部により、本体部がコネクタの第２の方向へ容易に位置決めされる。
【００２５】
３．固定金具の半田付け部がハウジングの底壁部に位置するように折り曲げられているので、コネクタはコンパクトに構成される。
【発明を実施するための最良の形態】
【００２６】
本発明の一実施例のコネクタについて説明する。
【実施例１】
【００２７】
本発明の実施例１について図１〜図５を参照して説明する。
【００２８】
図１は、実施例１のコネクタ１の４面図であり、（Ａ）は背面図、（Ｂ）は平面図、（Ｃ）は正面図、（Ｄ）は側面図を、それぞれ示す。
【００２９】
コネクタ１は、ハウジング２と、ハウジング２に所定のピッチで取り付けられている多数のコンタクト３と、ハウジング２の両側に取り付けられているホールドダウン（固定金具）４とから構成される。（Ｂ）に示されるように、各ホールドダウン４の前後両側には、各ホールドダウン４の変形を防止するためにハウジング２から壁２ａが突出するように一体形成されている。また、ハウジング２の両側下面には、コネクタ１が基板に搭載されるときの位置決め用の位置決めボス２ｂが一体形成されている。
【００３０】
図２（Ａ）は前面側から見たコネクタ１の斜視図であり、図２（Ｂ）はコネクタ１の下面図である。
【００３１】
図３は、コネクタ１のハウジング２へのホールドダウン４の圧入構造を示すための５面図であり、（Ａ）は背面図、（Ｂ）は平面図、（Ｃ）は正面図、（Ｄ）は側面図、（Ｅ）は下面図を、それぞれ示す。
【００３２】
（Ｄ）に矢印で示される第１の方向は、コネクタ１を接続対象物（基板等）に搭載する方向（コネクタ１の上下方向）であり、（Ｂ）に矢印で示される第２の方向は、第１の方向に直交する方向（コネクタ１の左右方向）である。
【００３３】
図４は、図３の要部の拡大図であり、図４（Ａ）は図３（Ｂ）における線Ａ−Ａによる断面を矢印方向に見た断面図、図４（Ｂ）は図３（Ｃ）におけるトラック形状の枠Ｃ内の拡大図、図４（Ｃ）は図４（Ａ）における線Ｂ−Ｂによる断面を矢印方向に見た断面図を、それぞれ示す。
【００３４】
ハウジング２の第１，２位置決め部（面）２ｃ１，２ｃ２は、ホールドダウン４の第３，４位置決め部４ａ３，４ａ４のそれぞれの第３，４当接面４ａ３ａ，４ａ４ａ（後述する）と、それぞれ当接する。第１，２位置決め部２ｃ１，２ｃ２は、第１の方向に直交する第２の方向にずれて配置されるので、ホールドダウン４はハウジング２の所定位置に確実に固定される。
【００３５】
図５は、コネクタ１のハウジング２へのホールドダウン４の圧入構造の詳細を示すための諸拡大図であり、（Ａ）は側面図、（Ｂ）は（Ａ）を矢印Ｄ方向に見た平面図、（Ｃ）は（Ａ）における線Ｅ−Ｅによる断面を矢印方向に見た断面図、（Ｄ）は（Ａ）における線Ｆ−Ｆによる断面を矢印方向に見た断面図を、それぞれ示す。
【００３６】
（Ｃ）は、ホールドダウン４の第４位置決め部４ａ４がクランク状に折り曲げられ、第３位置決め部４ａ３とはずれて形成されている状態を示す。第４位置決め部４ａ４をクランク状に折り曲げることにより、第４位置決め部４ａ４と第３位置決め部４ａ３とが第２の方向にずれて形成される。ホールドダウン４は、本体部４ａと、本体部４ａから延出して折り曲げられる半田付け部４ｂと、本体部４ａと半田付け部４ｂとを連結する連結部４ｃとから構成される。本体部４ａには、ホールドダウン４をハウジング２の固定金具挿入部２ｃに挿入し、ホールドダウン４をハウジング２に保持するための圧入部４ａ１が設けられる。ホールドダウン４は、第１の方向及び第２の方向に直交する第３の方向（図４（Ａ）参照）にて、ハウジング２に圧入される。また、本体部４ａには、ホールドダウン４をハウジング２に第２の方向へ位置決めするための突出部（ダボ）４ａ２が設けられる。半田付け部４ｂは、ハウジング２の壁２ａの底部に位置するように折り曲げられている。
【００３７】
ハウジング２には、第１位置決め部２ｃ１と第２位置決め部２ｃ２が設けられ、これらに対応して、ホールドダウン４の本体部４ａには、第３位置決め部４ａ３と第４位置決め部４ａ４が設けられている。
【００３８】
ホールドダウン４の第３位置決め部４ａ３の第３当接面４ａ３ａを、ハウジング２の第１位置決め部２ｃ１に、第４位置決め部４ａ４の第４当接面４ａ４ａをハウジング２の第２位置決め部２ｃ２に、それぞれ当接することによって位置決めした後に、ホールドダウン４をハウジング２に圧入する。第１、第２位置決め部２ｃ１，２ｃ２と第３、第４位置決め部４ａ３，４ａ４の構成により、基板のパッド（図示せず）に対するホールドダウン４の半田付け部４ｂのコプラナリティ（平面度）が良好になる。なお、多数のホールドダウン４を同時に製作するために、多数のホールドダウン４をキャリア１４にそれぞれ連結部１４ａで連結する。ホールドダウン４をハウジング２に圧入した後、連結部１４ａで切断する。なお、連結部１４ａを切断した後、ホールドダウン４をハウジング２に圧入するようにしてもよい。この際、ホールドダウン４の突出部４ａ２は、ハウジング２の固定金具挿入部２ｃ内面の表面を押圧する。
【図面の簡単な説明】
【００３９】
【図１】図１は、本発明の実施例１のコネクタの４面図であり、（Ａ）は背面図、（Ｂ）は平面図、（Ｃ）は正面図、（Ｄ）は側面図を、それぞれ示す。
【図２】（Ａ）は前面側から見た同コネクタの斜視図であり、（Ｂ）は同コネクタの下面図である。
【図３】同コネクタのハウジングへのホールドダウンの圧入構造を示すための５面図であり、（Ａ）は背面図、（Ｂ）は平面図、（Ｃ）は正面図、（Ｄ）は側面図、（Ｅ）は下面図を、それぞれ示す。
【図４】図３の要部の拡大図であり、（Ａ）は図３（Ｂ）における線Ａ−Ａによる断面を矢印方向に見た断面図、（Ｂ）は図３（Ｃ）におけるトラック形状の枠Ｃ内の拡大図、（Ｃ）は（Ａ）における線Ｂ−Ｂによる断面を矢印方向に見た断面図を、それぞれ示す。
【図５】同コネクタのハウジングへのホールドダウンの圧入構造の詳細を示すための諸拡大図であり、（Ａ）は側面図、（Ｂ）は（Ａ）を矢印Ｄ方向に見た平面図、（Ｃ）は（Ａ）における線Ｅ−Ｅによる断面を矢印方向に見た断面図、（Ｄ）は（Ａ）における線Ｆ−Ｆによる断面を矢印方向に見た断面図を、それぞれ示す。
【図６】第１の従来のコネクタの斜視図であり、（Ａ）はハウジングにコンタクトとホールドダウンが挿入される前の状態、（Ｂ）は挿入された後の状態を、それぞれ示す。
【図７】第２の従来のコネクタの諸図であり、（Ａ）は同コネクタがプリント基板上に取り付けられた状態の斜視図、（Ｂ）は固定金具を同コネクタのハウジングに取り付ける方法を説明するための断面図、（Ｃ）は同コネクタが同プリント基板上に取り付けられた状態の断面図を、それぞれ示す。
【符号の説明】
【００４０】
１  コネクタ
２  ハウジング
２ａ  壁
２ｂ  位置決めボス
２ｃ  固定金具挿入部
２ｃ１  第１位置決め部（面）
２ｃ２  第２位置決め部（面）
３  コンタクト
４  ホールドダウン
４ａ  本体部
４ａ１  圧入部
４ａ２  突出部（ダボ）
４ａ３  第３位置決め部
４ａ３ａ  第３当接面
４ａ４  第４位置決め部
４ａ４ａ  第４当接面
４ｂ  半田付け部
４ｃ  連結部
１４  キャリア
１４ａ  連結部
【図１】
0004395182.tif 000002
【図２】
0004395182.tif 000003
【図３】
0004395182.tif 000004
【図４】
0004395182.tif 000005
【図５】
0004395182.tif 000006
【図６】
0004395182.tif 000007
【図７】
0004395182.tif 000008